(57)【要約】【課題】省電力モードでマルチモニタシステムが動作しているときでも、ユーザが必要とする情報を確認できるようにすることができるマルチモニタ制御装置を提供する。【解決手段】マルチモニタ制御装置は、複数のモニタ７０及び７２と、モニタ７０及び７２のうち任意のモニタを通常モードから省電力モードに切換える省電力制御装置と、あるモニタ７０が通常モードから省電力モードに切換えられることに応答して、モニタ７０に表示されている表示要素１００を、他のモニタ７２に表示させる表示移動装置とを含む。【選択図】図３
2013057728.tif 000002
【特許請求の範囲】
【請求項１】
複数のモニタと、
前記複数のモニタのうち任意のモニタを通常モードから省電力モードに切換える省電力制御手段と、
前記省電力制御手段により前記複数のモニタのうちあるモニタが通常モードから省電力モードに切換えられることに応答して、前記あるモニタに表示されている表示要素を、前記複数のモニタのうちの他のモニタに表示させる表示移動手段とを含む、マルチモニタ制御装置。
【請求項２】
請求項１に記載のマルチモニタ制御装置であって、
前記他のモニタは、ユーザによる操作入力を検知可能なタッチパネルを含み、
前記表示移動手段は、前記省電力制御手段により前記あるモニタが通常モードから省電力モードに切換えられることに応答して、前記あるモニタに表示されている表示要素を、前記タッチパネルによる操作が可能な状態で前記タッチパネルに移動して表示させる手段を含む、マルチモニタ制御装置。
【請求項３】
請求項１に記載のマルチモニタ制御装置であって、
前記表示移動手段は、前記省電力制御手段により前記あるモニタが通常モードから省電力モードに切換えられることに応答して、前記あるモニタに表示されている表示要素のある部分を前記他のモニタに移動して表示させる手段を含む、マルチモニタ制御装置。
【請求項４】
請求項３に記載のマルチモニタ制御装置であって、
前記表示させる手段は、
前記省電力制御手段により前記あるモニタが通常モードから省電力モードに切換えられることに応答して、前記あるモニタに表示されている表示要素を消去させる表示消去手段と、
前記あるモニタに表示されていた前記表示要素の前記ある部分の大きさと、前記他のモニタに表示されている前記表示要素の大きさとに基づいて、両者が互いに重ならないように両者の表示の大きさ及び表示位置を調整し、前記他のモニタの表示領域上に両者を表示させる手段とを含む、マルチモニタ制御装置。
【請求項５】
請求項１に記載のマルチモニタ制御装置であって、
前記あるモニタは、ユーザによる操作入力を検知可能な第１のタッチパネルを含み、
前記表示移動手段は、
前記第１のタッチパネルに表示されている表示要素についての、前記他のモニタ方向へのフリック操作を検知する第１のフリック検知手段と、
前記第１のフリック検知手段により前記他のモニタ方向へのフリック操作が検知されたことに応答して、前記フリック操作された表示要素を前記第１のタッチパネル上から消去し、前記他のモニタに表示する、第１のフリック移動手段とを含み、
前記マルチモニタ制御装置はさらに、前記フリック操作された表示要素が前記第１のフリック移動手段により前記タッチパネル上から消去されたことにより、前記タッチパネルに表示すべき情報がなくなったことに応答して、前記省電力制御手段を制御して、前記タッチパネルを省電力モードに切換える第１の切換手段を含む、マルチモニタ制御装置。
【請求項６】
請求項５に記載のマルチモニタ制御装置であって、
前記他のモニタは、ユーザによる操作入力を検知可能な第２のタッチパネルを含み、
前記マルチモニタ制御装置はさらに、
前記第２のタッチパネルに表示されている表示要素についての、前記第１のタッチパネル方向へのフリック操作を検知する第２のフリック検知手段と、
前記第２のフリック検知手段により前記第１のタッチパネル方向へのフリック操作が検知されたことに応答して、当該フリック操作の対象である表示要素を前記第１のタッチパネルに表示する、第２のフリック移動手段と、
前記第１のタッチパネルが前記省電力モードにあるときに、前記第２のフリック移動手段により前記第１のタッチパネル上に表示要素が表示されることに応答して、前記省電力制御手段を制御して、前記第１のタッチパネルを前記通常モードに遷移させる第２の切換手段とを含む、マルチモニタ制御装置。
【請求項７】
請求項６に記載のマルチモニタ制御装置であって、前記第２のフリック検知手段により前記第１のタッチパネル方向へのフリック操作が検知されたことに応答して、当該フリック操作の対象である表示要素を前記第２のタッチパネルの表示から消去する消去手段をさらに含む、マルチモニタ制御装置。
【発明の詳細な説明】
【技術分野】
【０００１】
この発明は複数モニタを持つ情報処理装置に関し、特に、複数モニタに関する省電力機構の機能の改善に関する。
【背景技術】
【０００２】
最近、パーソナルコンピュータ（以下「ＰＣ」）の普及が進むとともに、作業の能率化を目指して複数のモニタをＰＣに接続することが多くなっている。特に日本では、いわゆる事務的作業における効率を改善することが求められているため、ＰＣ等に複数のモニタを接続することが当たり前になっている。モニタの値段が以前と比較して非常に安くなったこともその一因である。
【０００３】
一方、いわゆる地球温暖化問題に対処するために、職場及び家庭における電力消費を削減する必要性が強調されている。近年ではこれに加え、日本における電力供給の不安定さにより、さらに節電することが要請されている。
【０００４】
そこで、上記したＰＣのみならず、コピー機、プリンタ、ファクシミリ装置、及びこれらの機能を併せ持つ複合機等の事務機についても省電力の必要性が強調され、電力消費の節減のために様々な工夫がされている。
【０００５】
複数のモニタをパソコン等に接続すれば、単独のモニタを用いる場合と比較して消費電力が大きくなることは当然である。しかし、前述したとおり、作業効率を向上させる上では、モニタの数が多いほうがいいと考える会社も多く、その結果、複数のモニタを使用しながらいかにして消費電力を削減するかが大きな問題となっている。
【０００６】
こうした問題を解決するために、後掲の特許文献１には、いわゆるマルチモニタシステムにおいて、モニタの電源を制御することで消費電力を削減する技術が提案されている。
【０００７】
特許文献１に開示されたシステムでは、モニタをアクティブにしておく必要がないと思われるモニタの動作モードを変更する。例えば、モニタに表示された画面にアクティブウィンドウもマウスカーソルも存在しない状態が一定時間続いたときに、そのモニタを省電力モードに遷移させる。省電力モードとしては、モニタの電源をオフしたり、モニタをいわゆるスタンバイ状態又はサスペンド状態等に設定することが挙げられている。
【先行技術文献】
【特許文献】
【０００８】
【特許文献１】特開２０００−１６３０３５号公報（要約書、段落００１１〜００１３、００４１〜００５３）
【発明の概要】
【発明が解決しようとする課題】
【０００９】
通常、複数のモニタを持つマルチモニタシステムでは、省電力モードになると全てのモニタが省電力モードになる。そのためユーザは装置の動作状態又は設定等に関する情報を見ることができなくなる。その点で、特許文献１に開示されたシステムでは、あるモニタの画面にアクティブなウィンドウがないか、マウスポインタがない状態が所定時間継続すると、そのモニタのみが省電力モードになる。ユーザが集中して作業しているモニタについては表示が継続される。したがって、一方では電力消費を削減しながら、ユーザの作業に与える影響を少なくできる。
【００１０】
しかし特許文献１に開示された発明にも改善の余地がある。例えばマルチモニタを備えたコンピュータ等では、特許文献１に記載されたような条件が発生することも多いかもしれない。しかし、例えば複合機等では、ユーザが特に作業をしない時間が継続していることも多い。そうした場合には、結局、全てのモニタがほぼ同時に省電力モードに遷移することが予想される。しかしそれでは、特に作業はしないが、装置の状態は表示させておきたいような場合に不便である。こうした問題を解決するために、省電力モードに移行しないように装置を設定したり、省電力モードに移行するまでの時間を長くしたりすると、電力消費の削減という目的を達成することができなくなってしまう。すなわち、ユーザの操作性を維持したり、情報の確認しやすさを維持したりしながら、電力消費を削減することは難しいことであった。
【００１１】
またこうした問題は、複合機、コピー機、ファクシミリ装置又はプリンタに限らず、複数のモニタを備えた装置には必ず発生する問題である。
【００１２】
それゆえに本発明の目的は、通常よりも消費電力の少ない省電力モードでマルチモニタシステムが動作しているときでも、ユーザが必要とする情報を確認できるようなマルチモニタ制御装置を提供することである。
【課題を解決するための手段】
【００１３】
本発明ある局面に係るマルチモニタ制御装置は、複数のモニタと、これら複数のモニタのうち任意のモニタを通常モードから省電力モードに切換える省電力制御手段と、省電力制御手段により複数のモニタのうちあるモニタが通常モードから省電力モードに切換えられることに応答して、あるモニタに表示されている表示要素を、複数のモニタのうちの他のモニタに表示させる表示移動手段とを含む。
【００１４】
あるモニタが省電力モードに切換えられるときに、そのモニタに表示されていた表示要素が、表示移動手段により他のモニタに移動して表示される。あるモニタが省電力モードに切換えられ、表示されている情報が見えない状態になっても、他のモニタにその内容が表示されるので、ユーザはあるモニタが省電力モードになっても必要な情報を見ることができる。その結果、通常よりも消費電力の少ない省電力モードで動作可能で、省電力モードでマルチモニタシステムが動作しているときでも、ユーザが必要とする情報を確認できるマルチモニタシステムを提供できる。
【００１５】
好ましくは、他のモニタは、ユーザによる操作入力を検知可能なタッチパネルを含む。表示移動手段は、省電力制御手段によりあるモニタが通常モードから省電力モードに切換えられることに応答して、あるモニタに表示されている表示要素を、タッチパネルによる操作が可能な状態でタッチパネルに移動して表示させる手段を含む。
【００１６】
あるモニタに表示されていた表示要素を他のモニタに移動して表示させるときにも、移動先のモニタをタッチパネルとして操作できる。その結果、ユーザの操作性を維持できる。
【００１７】
より好ましくは、表示移動手段は、省電力制御手段によりあるモニタが通常モードから省電力モードに切換えられることに応答して、あるモニタに表示されている表示要素のある部分を他のモニタに移動して表示させる手段を含む。
【００１８】
表示要素のうち、ある部分（例えば他と比較して重要な部分、又は操作に必要なＵＩ（ユーザ・インターフェイス）部品が表示されている部分等）を他のモニタに移動させ、他の部分については他のモニタに表示させないようにできる。その結果、他のモニタの表示面積を有効に活用できる。もちろん、この場合の「ある部分」は、表示要素の全体であってもよい。
【００１９】
さらに好ましくは、この表示させる手段は、省電力制御手段によりあるモニタが通常モードから省電力モードに切換えられることに応答して、あるモニタに表示されている表示要素を消去させる表示消去手段と、あるモニタに表示されていた表示要素のある部分の大きさと、他のモニタに表示されている表示要素の大きさとに基づいて、両者が互いに重ならないように両者の表示の大きさ及び表示位置を調整し、他のモニタの表示領域上に両者を表示させる手段とを含む。
【００２０】
通常、上記した他のモニタには別の表示要素が表示されている。そのため、あるモニタから上記した他のモニタに表示要素を移動させると、通常は両者が重なってしまう。両者の大きさに基づいて、両者が重ならないようにその表示位置及び描画倍率を調整して表示することで、必要な情報の全体を見ることができ、省電力モードでもユーザの操作性を維持できる。
【００２１】
上記したあるモニタは、ユーザによる操作入力を検知可能な第１のタッチパネルを含んでもよい。この場合、表示移動手段は、第１のタッチパネルに表示されている表示要素についての、他のモニタ方向へのフリック操作を検知する第１のフリック検知手段と、第１のフリック検知手段により他のモニタ方向へのフリック操作が検知されたことに応答して、フリック操作された表示要素を第１のタッチパネル上から消去し、他のモニタに表示する、第１のフリック移動手段とを含んでもよい。マルチモニタ制御装置はさらに、フリック操作された表示要素が第１のフリック移動手段によりタッチパネル上から消去されたことにより、タッチパネルに表示すべき情報がなくなったことに応答して、省電力制御手段を制御して、タッチパネルを省電力モードに切換える第１の切換手段を含む。
【００２２】
第１のタッチパネル上に表示された表示要素を、他のモニタ方向にフリックすると、その表示要素が第１のタッチパネルから消去され、他のモニタ上に移動して表示される。さらにそうした処理により、第１のタッチパネルに何も表示要素が残っていないときには、第１のタッチパネルが省電力モードに切換えられる。タッチパネルの動作モードを省電力モードに切換える操作が、直感的でかつ簡単に行なえる。またユーザが必要とする情報（表示要素）の表示が続いて行なわれるため、ユーザの操作性も維持される。
【００２３】
好ましくは、上記した他のモニタは、ユーザによる操作入力を検知可能な第２のタッチパネルを含む。マルチモニタ制御装置はさらに、第２のタッチパネルに表示されている表示要素についての、第１のタッチパネル方向へのフリック操作を検知する第２のフリック検知手段と、第２のフリック検知手段により第１のタッチパネル方向へのフリック操作が検知されたことに応答して、当該フリック操作の対象である表示要素を第１のタッチパネルに表示する、第２のフリック移動手段と、第１のタッチパネルが省電力モードにあるときに、第２のフリック移動手段により第１のタッチパネル上に表示要素が表示されることに応答して、省電力制御手段を制御して、第１のタッチパネルを通常モードに遷移させる第２の切換手段とを含む。
【００２４】
省電力モードへの移行の際のフリック操作とは逆の方向へのフリック操作により、第１のタッチパネルを省電力モードから通常モードに遷移させることができる。そのための操作が直感的で簡単であるという効果が得られる。
【００２５】
より好ましくは、マルチモニタ制御装置は、第２のフリック検知手段により第１のタッチパネル方向へのフリック操作が検知されたことに応答して、当該フリック操作の対象である表示要素を第２のタッチパネルの表示から消去する消去手段をさらに含む。
【発明の効果】
【００２６】
以上のように本発明によれば、通常よりも消費電力の少ない省電力モードで動作可能で、省電力モードでマルチモニタシステムが動作しているときでも、ユーザが必要とする情報を確認できるマルチモニタ制御装置を提供できる。またあるモニタを省電力モードにしたり、省電力モードから復帰させたりするための動作が直感的で分かりやすいという効果がある。
【図面の簡単な説明】
【００２７】
【図１】本発明の第１の実施の形態に係るマルチモニタ制御装置を採用した複合機の外観図である。
【図２】図１に示す複合機の２つのパネルの通常の表示形態を示す模式図である。
【図３】図１に示す複合機の２つのパネルのうち、第１パネルが省電力モードとなったときの第２パネルの表示形態を示す模式図である。
【図４】図１に示す複合機の２つのパネルのうち、第１パネルが省電力モードとなったときの、簡易表示による第２パネルの表示形態を示す模式図である。
【図５】図１に示す複合機のハードウェアブロック図である。
【図６】図１に示す複合機において、図２〜図４に示すような省電力時の表示形態を実現するためのプログラムのフローチャートである。
【図７】図６に示すプログラムのうち、ユーザのフリック操作により第１パネルを通常モードから省電力モードに遷移させるためのルーチンを示すフローチャートである。
【図８】図６に示すプログラムのうち、ユーザのフリック操作により第１パネルを省電力モードから通常モードに遷移させるためのルーチンを示すフローチャートである。
【図９】図１に示す複合機において、第１パネルに対する操作がされることなく所定時間が経過して第１パネルが省電力モードに遷移したときに複合機内の制御部により実行されるプログラムのフローチャートである。
【図１０】本発明の第２の実施の形態に係る複合機において、第１パネルが省電力モードとなったときの第２パネルの表示態様を示す模式図である。
【図１１】第２の実施の形態に係る複合機において、第１パネルが省電力モードとなったときの、簡易表示による第２パネルの表示態様を示す模式図である。
【図１２】図１０及び図１１に示す表示形態を実現するためのプログラムのフローチャートである。
【図１３】第２の実施の形態に係る複合機において、ユーザのフリック操作により第１パネルを省電力モードから通常モードに遷移させるためのルーチンを示すフローチャートである。
【発明を実施するための形態】
【００２８】
以下の説明及び図面では、同一の部品には同一の参照番号を付してある。したがって、それらについての詳細な説明は繰返さない。
【００２９】
＜第１の実施の形態＞
［構成］
図１を参照して、本発明の第１の実施の形態に係るマルチモニタ制御装置を採用した複合機４０は、ほぼ直方体形状で下部に４つのキャスターを持つ筐体５０と、筐体５０の上面に配置された、ＡＤＦ（Ａｕｔｏ  Ｄｏｃｕｍｅｎｔ  Ｆｅｅｄｅｒ）を持つスキャナ部５２と、スキャナ部５２の前部に配置された操作パネル部５４と、筐体５０の内部に配置され、所定の記録媒体（多くの場合には記録紙）の表面に画像を形成するための画像形成部６２と、筐体５０の側面に設けられた、画像が形成された記録媒体を受けるための複数の排出トレイ６４と、筐体５０の底部に配置された給紙トレイ及び筐体５０の側面に配置された給紙トレイ６６から記録媒体を画像形成部６２に供給し、画像が形成された記録媒体を排出トレイ６４まで搬送するための給紙部６０とを含む。
【００３０】
操作パネル部５４は２つのモニタ、すなわち第１パネル７０及び第２パネル７２を含む。本実施の形態では第１パネル７０及び第１パネル７０はいずれもタッチパネルである。
【００３１】
複合機４０の内部構成については図５を参照して後述することとし、この第１の実施の形態において第１パネル７０及び第２パネル７２がどのように利用され、これらに画像がどのように表示されるかについて図２〜図４を参照して説明する。なお、この複合機４０は、省電力に関連した動作モードとして、第１パネル７０及び第２パネル７２の双方ともオンしている通常モードと、第１パネル７０がオフし、第２パネル７２のみがオンしている第１段階省電力モードと、第１パネル７０及び第２パネル７２の双方がオフしている第２段階省電力モードとがあるものとする。さらに、通常モードから第１段階省電力モードへ、第１段階省電力モードから第２段階省電力モードへ、というように２段階で省電力モードが変化するものとする。すなわち、通常モードから、第１パネル７０及び第２パネル７２がともにオフした第２段階省電力モードに直接遷移することはない。逆に、第２段階省電力モードから第１段階省電力モード、及び第１段階省電力モードから通常モード、というように、省電力モードの解除の際にも動作モードは段階的に遷移するものとする。
【００３２】
図２を参照して、第１パネル７０は、操作パネル部５４の中央からやや左寄りに配置されている。操作パネル部５４の右側にはテンキー９０が設けられている。テンキー９０のさらに右側には種々の機能キー９２が設けられている。もちろん、図２に示すキー配置は一例であって、第１パネル７０及びキーの配置がこれに限られるわけではない。なお、図２においては、第１パネル７０及び第２パネル７２の表示を分かりやすく対比するため、第２パネル７２を操作パネル部５４のすぐ上に配置して示してある。
【００３３】
通常モードでは、図２に示すように、第１パネル７０には複合機４０を操作するための操作画面が表示されている。図２に示すのはコピーのための基本画面である。前述したように、複合機４０は、コピー機としてだけでなくファクシミリ装置、プリンタ、及びスキャナとしても動作する。それらの機能を選択するための基本となるホーム画面が図２に示すものとは別に存在し、通常は第１パネル７０に表示されている。図２に示すのは、ホーム画面において「コピー」という機能が選択されたときに表示されるコピー基本画面である。
【００３４】
図２に示す例では、第２パネル７２には、操作画面とは別の画面が表示されている。複合機４０が例えばコンビニエンス・ストアに配置される場合には、第２パネル７２には例えば広告が表示されたり、店からのお知らせ情報が表示されたりする。第２パネル７２に、スキャナ部５２により読取った画像のプレビューを表示してもよい。
【００３５】
第１段階省電力モードでは、例えば図３に示すように、省電力のために第１パネル７０がオフされる。特許文献１に記載の技術であれば第１パネル７０がオフされるだけであるが、本実施の形態では、通常モードで第１パネル７０に表示されていたものと同じ操作画面が第２パネル７２に表示される。本実施の形態ではこの際、操作画面を第１パネル７０に表示されていたものと同じ形（通常の形）で表示するか、それよりも簡略化したものを表示するかをユーザが選択できる。図３には通常の形の操作画面１００を、図４には簡略化した操作画面１１０を、それぞれ第２パネル７２の画像に重畳して表示している。図４に示す操作画面１１０は、図３に示す操作画面１００のうち、ユーザが複合機４０を操作する上で特に重要と思われる要素のみを取出して表示している。操作画面１１０をどのような形にするかは予め操作画面１００との対で決められ、操作画面１００を生成するための基本画面情報とともに、後述する記憶部に簡易画面情報として記憶されている。
【００３６】
なお、本実施の形態では、通常モードから第１段階省電力モードへの遷移には、２種類のトリガーが用意されている。１つめは、図２に示す操作パネル部５４に対してユーザによる操作がされることなく所定時間が経過したときである。２つめは、第１パネル７０上に表示されている基本画面を、ユーザが第２パネル７２に向けて指で軽く払う動作（このように、指で画面を軽く払う動作を、本明細書では「フリック」と呼ぶ。）を行なったときである。第１段階省電力モードから第２段階省電力モードへの遷移は、第１段階省電力モードにおいて何らユーザの操作がされることなく所定時間が経過したときに起こる。
【００３７】
逆に、第２段階省電力モードから第１段階省電力モードへの復帰は、第２段階省電力モードにおいてユーザが操作パネル部５４に対して何らかの操作を行なうか、第２パネル７２に触れたときに行なわれる。第１段階省電力モードから通常モードへの復帰は、第１段階省電力モードでユーザがキーに対して何らかの操作を行なったか、第２パネル７２に表示されている操作画面１００又は操作画面１１０を第１パネル７０の方向にフリックしたときに行なわれる。
【００３８】
図５を参照して、複合機４０は、前述したスキャナ部５２、給紙部６０、画像形成部６２、及び操作パネル部５４に加え、これらが接続されたバス１２０と、バス１２０に接続され、複合機４０の各部を所定のプログラムによって制御するための、実質的にはコンピュータからなる制御部１２２と、バス１２０に接続され、制御部１２２の制御の下、公衆電話回線（図示せず）を介して他のファクシミリ装置とファクシミリの送受信を行なうためのファクス通信部１２４と、バス１２０に接続され、図示しないルータ及びＬＡＮ（ローカルエリアネットワーク）を介してインターネット１２６に接続するネットワークインターフェイス（ネットワークＩ／Ｆ）１２８と、バス１２０に接続され、制御部１２２からの制御と、操作パネル部５４からの出力とにしたがい、操作パネル部５４内の第１パネル７０及び第２パネル７２の電源を制御するためのモニタ電源制御部１３２と、バス１２０に接続され、第１パネル７０及び第２パネル７２の電源の省電力制御を行なうために制御部１２２が実行するプログラム、並びに、第１段階省電力モードの際に、第２パネル７２に表示される基本画面及び簡易表示画面のためのデータを記憶する、ハードディスク等からなる不揮発性の記憶部１３４とを含む。
【００３９】
前述したとおり、制御部１２２は実質的にはコンピュータであって、図示しないＣＰＵ（中央演算処理装置。図示せず。）、ＣＰＵが実行するプログラムと、その他の変数等とを格納するＲＡＭ（Ｒａｎｄｏｍ  Ａｃｃｅｓｓ  Ｍｅｍｏｒｙ。図示せず。単に「メモリ」と呼ぶ。）、複合機４０の電源投入時にＣＰＵが最初に実行するブートアッププログラムと、複合機４０の各部をテストしたり初期化したりするためのプログラムとを記憶するＲＯＭ（Ｒｅａｄ−Ｏｎｌｙ  Ｍｅｍｏｒｙ。図示せず。）、並びに、操作パネル部５４及びバス１２０との入出力処理を行なうための入出力装置（図示せず）とを含んでいる。
【００４０】
複合機４０の省電力動作モードを実現するためのプログラム等は、実行時に記憶部１３４から読出され、制御部１２２内のメモリにロードされて実行される。
【００４１】
［プログラム構成］
図６を参照して、複合機４０の省電力モードを実現するためのプログラムは、起動後、最初に複合機４０の各部の初期設定を行なうステップ１５０と、省電力モードに関する設定及びその他の種々の設定に関する情報を記憶部１３４から読出し、メモリに格納するステップ１５２と、第１パネル７０及び第２パネル７２に表示すべき初期画面を記憶部１３４から読出し、メモリに格納するステップ１５４とを含む。
【００４２】
このプログラムはさらに、メモリに格納された画面に関する情報に基づき、第１パネル７０の描画内容を第１パネル７０のための、メモリ内の描画領域に描画するステップ１５６と、第２パネル７２の描画内容を第２パネル７２のための描画領域に描画するステップ１５８とを含む。これら描画領域に描画された情報（画像）は、所定間隔で図示しないモニタ制御部により読出され、それぞれ第１パネル７０及び第２パネル７２に表示される。ただし、モニタの電源がオフしている場合には、描画領域に描画がされても当然のことながらモニタには表示されない。
【００４３】
このプログラムはさらに、ユーザが何らかの操作をするまで待機するステップ１６０と、ユーザが何らかの操作を行なった場合、その操作がフリックか否かを判定して制御の流れを分岐させるステップ１６２と、操作がフリックであるときに、さらにそのフリックの方向が第１パネル７０から第２パネル７２への方向か否かを判定し、結果にしたがって制御の流れを分岐させるステップ１６４とを含む。ここで、第１パネル７０から第２パネル７２への方向か否かの判定は、第１パネル７０と第２パネル７２との位置関係から定められるものであって、システム構成により異なってくる。多くの場合、第１パネル７０の中心点から第２パネル７２への中心点に向かう線分を想定し、その線分を中心とする所定角度（例えば６０度）をなす扇型内でフリック操作がされた場合に第１パネル７０から第２パネル７２の方向へのフリック操作がされたと判定すればよい。もちろん、この角度は第１パネル７０と第２パネル７２との大きさの相違に依存して変化するものであり、上記した６０度に限定されるものではない。後述するように第２パネル７２から第１パネル７０の方向へのフリックを判定するときも同様である。
【００４４】
ステップ１６２の判定がＮＯの場合、すなわち検知された操作がフリック以外の場合には制御はステップ１８０に進む。ステップ１８０は、図６では１つのボックスとして描いてあるが、実際には、検知された操作に応じて種々の処理が行なわれる。図６では図を簡略化し、説明を明瞭にするために、ステップ１８０を単なる１つのボックスとして記載してあることに注意されたい。ステップ１８０でユーザの操作に対する処理を行なった後、制御はステップ１５６に戻る。
【００４５】
ステップ１６４の判定がＹＥＳの場合、ステップ１６６でさらに、第１パネル７０を省電力モードに遷移させる条件が整ったか否かを判定して制御を分岐させるステップ１６６を含む。ここで、本実施の形態で第１パネル７０から第２パネル７２の方向にユーザがフリックをしたときのこの装置の機能について説明する。すなわち、本実施の形態では、こうした操作をした場合には、フリックがされた位置（指が最初に触れた位置）に表示されていた表示要素が第１パネル７０から第２パネル７２に移動することになる。その結果、第１パネル７０に何も表示されないことになれば、第１パネル７０を省電力モードに遷移させる。フリックされた表示要素を第２パネルに移動させてもまだ第１パネル７０に何かが表示されているのであれば、第１パネル７０は省電力モードには遷移させない。なお、ここでいう「表示要素」としては様々なものが考えられる。画面全体の場合もあるし、画面の一部を構成するＵＩ部品である場合もある。いわゆるウィンドウである場合もあるし、１つのウィンドウ内のタブである場合もあるし、プログラムの実行中に開かれるダイアログ画面である場合もあり得る。いずれにせよ、表示要素は、１つのまとまりとして操作の対象、又は監視の対象となるようなＵＩ部品である。
【００４６】
したがって、ステップ１６６では、上記したような条件にしたがって、第１パネル７０を省電力モードに遷移させるべきか否かが判定される。判定がＹＥＳならステップ１６８で第１パネル７０を省電力モードに遷移させるよう、モニタ電源制御部１３２に対して指示する。
【００４７】
その後、第１パネル７０を省電力モードに遷移させる場合もそうでない場合も、フリックされた表示要素を第２パネル７２に移動させる処理を行なう。すなわち、フリックされた要素を第１パネル７０上に表示されるべき描画領域から消去し、第２パネル７２に表示させる。制御はステップ１５６に戻る。
【００４８】
ステップ１６４でフリックの方向が第１パネル７０から第２パネル７２への方向ではないと判定された場合には、制御はステップ１７２に進み、フリックの方向がその逆、すなわち第２パネル７２から第１パネル７０への方向か否かを判定する。本実施の形態では、第１パネル７０が省電力モードであるときにこのような操作がされた場合には、第１パネル７０を省電力モードから通常モードに遷移させてから、フリックされた表示要素を第２パネル７２から第１パネル７０に移動させる。以下に述べるステップ１７４〜１７８でそのための処理を行なう。一方、ステップ１７２の判定がＮＯであれば、制御はステップ１８０に進み、フリックの方向に応じて予め定められた処理が実行される。もちろん、そうした処理が定められていなければステップ１８０では何もされない。
【００４９】
ステップ１７２で、フリックの方向が第２パネル７２から第１パネル７０への方向であると判定された場合、ステップ１７４において、第２パネル７２の表示要素のうち、フリックされた位置にあった表示要素を第１パネル７０に移動させる処理が行なわれる。より具体的には、第２パネル７２の描画領域に描画されていた表示要素が、第２パネル７２の描画領域からクリアされ、第１パネル７０のための描画領域に描画されるように出力先が変更される。
【００５０】
続くステップ１７６で、第１パネル７０が省電力モードか否かが判定される。判定がＮＯなら何もせず制御はステップ１５６に戻る。この結果、所定時間後に第１パネル７０のための描画領域に描画された画像が第１パネル７０のためのモニタ制御部（図示せず）により読出され、第１パネル７０に表示される。一方、第２パネル７２のための描画領域に描画された画像が第２パネル７２のためのモニタ制御部（図示せず）により読出され、第２パネル７２上に表示される。この描画領域からは、ユーザによりフリックされた表示要素はクリアされているので、これ以後、第２パネル７２にはその表示要素は表示されない。
【００５１】
ステップ１７６の判定がＹＥＳである場合、ステップ１７８で第１パネル７０を通常モードに戻す。具体的には、制御部１２２は、モニタ電源制御部１３２に対して第１パネル７０の電源をオンするように指示を出し、モニタ電源制御部１３２がその指示に応答して第１パネル７０をオンさせ、第１パネル７０のためのモニタ制御部への電源供給を開始する。その結果、それまで省電力モードだった第１パネル７０に、ユーザがフリックした表示要素が表示される。制御はこの後、ステップ１５６に戻る。
【００５２】
図７を参照して、図６のステップ１７０では、最初に、複合機４０の設定情報中の、第１パネル７０に表示されていた表示要素に関する簡易表示フラグがオンか否か（セットされているかリセットされているか）に応じて制御の流れが分岐される。簡易表示フラグがオンの場合には、ステップ２０２において、第１パネル７０の表示用ルーチンのうち、指定された表示要素の表示ルーチンに対し、指定された表示要素の表示に簡易表示画面を使用して、第２パネル７２のための描画領域に描画するように設定をする。具体的には、ルーチンが使用する表示オブジェクトを簡易表示画面用のオブジェクトに置換える。さらに、この表示要素の表示位置及び表示の倍率を調整し、調整後の表示位置（描画領域のアドレス）を、予め定められていた値（第２パネル７２のための描画領域内で、簡易表示画面用に予め定められていた位置）に設定する。続くステップ２０４で、第２パネル７２の描画領域のうち、第１パネル表示用ルーチンにより簡易表示用画面が表示される位置にマスクを設定し、この位置にはそれまで第２パネル７２に表示されていた画像が描画されないようにする。ステップ２０４の後、制御は親ルーチン（図６のステップ１７０の末尾）に戻る。なお、表示位置及び描画倍率については固定しておくこともできるし、第２パネル７２に表示されている表示要素ごとに、第１パネル７０から移動する表示要素の表示位置及び描画倍率を変化させ、調整することもできる。
【００５３】
一方、ステップ２００の判定が否定の場合には、ステップ２０６及び２０８において、それぞれ上記ステップ２０２及び２０４と同様の処理を通常表示用画面を用いて行なう。すなわち、ステップ２０６において、第１パネル７０の表示用ルーチンのうち、指定された表示要素の表示ルーチンに対し、指定された表示要素の表示に通常表示画面を使用して、第２パネル７２のための描画領域に描画するように設定をする。具体的には、ルーチンが使用する表示オブジェクトを通常表示画面用のオブジェクトに置換える。さらに、この表示要素の表示位置（描画領域のアドレス）を、予め定められていた値（第２パネル７２のための描画領域内で、通常表示画面用に予め定められていた位置）に設定する。続くステップ２０８で、第２パネル７２の描画領域のうち、第１パネル表示用ルーチンにより通常表示用画面が表示される位置にマスクを設定し、この位置にはそれまで第２パネル７２に表示されていた画像が描画されないようにする。ステップ２０８の後、制御は親ルーチン（図６のステップ１７０の末尾）に戻る。
【００５４】
図８を参照して、図６のステップ１７４は、第１パネル表示用ルーチンに、通常表示用画面を使用して、第１パネル７０のための描画領域に表示要素を描画するように設定する。具体的には、ルーチンが使用する表示オブジェクトを通常表示画面用のオブジェクトに置換える。さらに、この表示要素の表示位置（描画領域のアドレス）を、第１パネル７０のための描画領域内で、通常表示画面用に予め定められていた位置に設定する。この後、ステップ２２２で、第２パネル７２の表示用描画領域に対し、それまで第１パネル７０の表示用ルーチンが描画していた領域に関して設定されていたマスクを削除する。この後、制御は親ルーチンに戻る。
【００５５】
以上に説明したのは、ユーザが第１パネル７０又は第２パネル７２に表示されている表示要素をフリックしたときに、第１パネル７０を省電力モードにするか否かに関する機構である。これらとは別に、通常モードにおいてユーザが複合機４０を操作しないで所定時間が経過すると、第１パネル７０が省電力モードになる。このときの第１パネル７０の電力制御は制御部１２２とは別にモニタ電源制御部１３２が単独で実行する。このとき、モニタ電源制御部１３２は、第１パネル７０が省電力モードになったことを示す割込信号を制御部１２２に対して与えるものとする。制御部１２２は、この割込信号に応答して、図９に制御構造を示すプログラムを実行し、第１パネル７０に表示されていた表示要素を第２パネル７２に移動させる。
【００５６】
図９を参照して、このルーチンでは、第１パネル７０に出力されていた全ての表示要素の出力先を、第２パネル７２のための描画領域に変更する処理が行なわれる。この処理の内容は、図６のステップ１７０で行なわれる処理（図７に示す処理）と同じである。
【００５７】
なお、この実施の形態のように割込により出力先を切替える場合、描画領域を定める変数は、メモリではなくハードディスク等、割込発生時にもそのアドレスが変化しない記憶装置内に格納しておくことが望ましい。
【００５８】
［動作］
複合機４０は以下のように動作する。以下の説明では、既に複合機４０の電源が投入され、第１パネル７０及び第２パネル７２が、図２に示すような状態にあるものとする。図６のプログラムでは、ステップ１５０〜ステップ１５８までが完了していることになる。
【００５９】
（１）通常モードでユーザが第１パネル７０を第２パネル７２側にフリックしたとき
この場合、図６のプログラムでは、ステップ１６０，１６２，１６４及びステップ１６６の経路をたどる。ステップ１６６で、第１パネル７０に表示されている表示要素を第２パネル７２に移動させると第１パネル７０に何も表示されないことになるか否かが判定される。ステップ１６６の判定がＹＥＳの場合、ステップ１６８の処理が実行される。すなわち、制御部１２２はモニタ電源制御部１３２に対して第１パネル７０を省電力モードに遷移させるように指示を出す。この結果、複合機４０は、第１段階省電力モードになる。次に、ステップ１７０で第１パネル７０に表示されていた表示要素のうち、ユーザにフリックされたものを第２パネル７２に移動して表示させる。ここで、この表示要素に対して準備された簡易表示フラグがオンか否かにより、ステップ１７０での処理が異なってくる。
【００６０】
（１Ａ）簡易表示フラグがオフの場合
この場合、ステップ１７０での処理として、図７のステップ２００、２０６及び２０８の経路の処理が実行される。すなわち、ステップ２００でＮＯと判定される。ステップ２０６で、第１パネル７０の表示要素の表示ルーチンに対し、この表示要素の表示に通常表示画面を用い、かつこの通常表示画面の画像を第２パネル７２用の描画領域に描画するように設定を行なう。ステップ２０８で、第２パネル７２用の描画領域内で、第１パネル７０から移動される表示要素の通常表示用画面の表示位置にマスクを設定する。この後、親ルーチンに制御を戻す。
【００６１】
（１Ｂ）簡易表示フラグがオンの場合
この場合、図７のステップ２００，２０２及び２０４の経路の処理が実行される。すなわち、すなわち、ステップ２００でＹＥＳと判定される。ステップ２０２で、第１パネル７０の表示要素の表示ルーチンに対し、この表示要素の表示に簡易表示画面を用い、かつこの簡易表示画面の画像を第２パネル７２用の描画領域に描画するように設定を行なう。ステップ２０８で、第２パネル７２用の描画領域内で、第１パネル７０から移動される表示要素の簡易表示用画面の表示位置にマスクを設定する。この後、親ルーチンに制御を戻す。
【００６２】
上記（１Ａ）及び（１Ｂ）のいずれの場合も、ステップ１７０の後、制御はステップ１５６に戻り、第１パネル用の画像と第２パネル用の画像とがそれぞれの描画領域に描画される。これらのうち、第１パネル用の画像は、第１パネル７０が省電力モードになっているため、第１パネル７０に表示されることはなく、第２パネル用の画像のみが第２パネル７２に表示される。この後、ステップ１６０でユーザの入力待ちになる。
【００６３】
この結果、第１パネル７０及び第２パネル７２の状態は、簡易表示フラグがオフのときは図３に示すようになり、簡易表示フラグがオンのときには図４に示すようになる。
【００６４】
（２）通常モードでユーザが第２パネル７２から第１パネル７０にフリックした場合
この場合、図６のルーチンではステップ１６０，１６２，１６４、及びステップ１７２の経路の処理が実行される。ステップ１７２の判定はＹＥＳとなり、ステップ１７４で第２パネル７２に表示されている表示要素が、第１パネル７０に移動して表示される。具体的には、図８を参照して、ステップ２２０で第１パネル７０に描画されるべき表示要素の表示用ルーチンに対し、通常表示画面を使用して第１パネル７０に画面を描画するように設定をする。ステップ２２２において、第１パネル７０に移動された表示要素のためのマスクを第２パネル７２用の描画領域から削除する。この後、制御は図６のステップ１７６に進む。
【００６５】
ステップ１７６では、第１パネル７０が省電力モードか否かが判定される。ここでは第１パネル７０が通常モードになっているため、判定はＮＯとなり、制御はステップ１５６に戻る。ステップ１５６及びステップ１５８の処理により、ユーザによりフリックされた表示要素が第１パネル７０に表示される。第２パネル７２の表示からは、この表示要素が消去される。
【００６６】
（３）通常モードで、ユーザの操作がない状態が所定時間継続した場合
この場合には、図６に示すルーチンとは別に、モニタ電源制御部１３２が上記条件を検出し、第１パネル７０を省電力モードに遷移させる。同時にモニタ電源制御部１３２は、制御部１２２に対して第１パネル７０が省電力モードに遷移したことを示す割込信号を与える。これに応答して、制御部１２２は、図９に示すプログラムを起動する。
【００６７】
図９に示すプログラムでは、ステップ２３０で、それまで第１パネル７０に表示されていた表示要素を全て第２パネル７２に移動させる。具体的には、個々の表示要素について図７に示した処理を実行する。この処理により、第１パネル７０の全画面が第２パネル７２に移動する。第１パネル７０及び第２パネル７２の状態は、簡易表示フラグがオフのときは図３に示すようになり、簡易表示フラグがオンのときには図４に示すようになる。
【００６８】
（４）第１段階省電力モードで表示要素が第２パネル７２から第１パネル７０にフリックされた場合
この場合の動作は、ステップ１７６の判定がＹＥＳとなることを除き、上記（２）と同じである。ステップ１７６の判定がＹＥＳとなると、制御部１２２はモニタ電源制御部１３２に対して、第１パネル７０を通常モードに復帰させるように指示を出す。第１パネル７０は通常モードに復帰し、第１パネル７０用の描画領域に描画された画面が第１パネル７０上に表示される。この結果、第１パネル７０及び第２パネル７２の状態は、図３又は図４に示すようなものから、図２に示すようなものに変化する。この後、複合機４０はユーザの入力待ちとなる（ステップ１６０）。
【００６９】
（５）第１段階省電力モードで、ユーザの操作がない状態が所定時間継続した場合
この場合には、図６に示すプログラムとは独立に、モニタ電源制御部１３２が上記条件の成立を検知し、第２パネル７２を省電力モードに遷移させる。この結果、第１パネル７０及び第２パネル７２には何も表示されない状態となる。すなわち、複合機４０は第２段階省電力モードとなる。ただしこの場合も、第２パネル７２用の描画領域には、表示される画面が常に書込まれている。第２パネル７２のモニタ制御回路の電源がオフしているため、描画領域にデータが書込まれても第２パネル７２には表示されないだけである。
【００７０】
（６）第２段階省電力モードでユーザの操作があったとき
複合機４０が第２段階省電力モードであるときに何らかのユーザ操作があると、モニタ電源制御部１３２はそれを検知し、第２パネル７２を省電力モードから通常モードに遷移させる。第２パネル７２用の描画領域には、第２段階省電力モードでも画像は書込まれているため、第２パネル７２が通常モードに復帰すると共に第２パネル７２の表示が再開される。
【００７１】
（７）第１段階省電力モードで、ユーザ操作が検知された場合
この場合、モニタ電源制御部１３２は第１パネル７０を省電力モードから通常モードに復帰させる。本実施の形態では、この場合には第１パネル７０及び第２パネル７２の表示は何ら変更しない。単に第１パネル７０が活性化されるだけである。
【００７２】
以上のとおり、この第１の実施の形態に係る複合機４０によれば、２つのパネルを持つ複合機４０において、省電力モードを複数段階とすることができる。第１段階省電力モードでは、通常モードから省電力モードに遷移されたパネルに表示されていた表示要素が第２パネル７２に移動される。その結果、消費電力を抑えながら、必要な情報をパネルに表示し続けることが可能になる。
【００７３】
簡易表示フラグにより、第２パネル７２に移動された表示要素について簡易表示にするか、通常表示にするかを選択できる。その結果、第１パネル７０の表示と第２パネル７２の表示との重要度に応じ、省電力モードでの表示態様をユーザにとってもっとも有効な内容に設定できる。ただし、このような選択は追加的な機能であって、こうした機能を設けず、例えば常に通常表示を用いたり、第２パネル７２では常に簡易表示を用いたりするようにしてもよい。
【００７４】
＜第２の実施の形態＞
上記第１の実施の形態では、例えば図３及び図４に示されるように、それまで第１パネル７０に表示されていた表示要素を、第２パネル７２の表示要素に重畳して表示している。しかし本発明はそのような実施の形態には限定されない。例えば、両者をまとめた１つの画面を作って第２パネル７２に表示したり、第２パネル７２の表示領域を分割して、第１パネル７０に表示されていた表示要素が第２パネル７２の表示要素と重ならないように表示したりしてもよい。以下に説明する第２の実施の形態に係る複合機は、後者の方法で、第１段階省電力モードでは第２パネル７２の表示領域を分割して表示するものである。
【００７５】
この実施の形態では、第１段階省電力モードでは、図１０に示されるように、第２パネル７２の表示領域を分割位置２４０で左右の２つの領域に分割し、左側領域には第１パネル７０に表示されていた表示要素である操作画面２４２を、右側領域には第２パネル７２に表示されていた表示要素である操作画面２４４を、それぞれ表示する。どのような比率で第２パネル７２を分割するかは、予め操作画面２４２と操作画面２４４との組合せによって決めておいてもよいし、表示要素の組合せにかかわらず、常に一定の比率（例えば１：１、１：２等）で分割するようにしてもよい。この場合、表示要素を縮小して第２パネル７２用の描画領域に描画する必要がある。
【００７６】
図１１に示すように、例えば第１パネル７０から第２パネル７２に表示要素を移動する際に、簡易表示のための操作画面２５２のような横長の表示要素を用いる場合もある。この場合には、第２パネル７２の表示領域を分割位置２５０で上限に２分し、一方には操作画面２５２を、他方にはそれまで第２パネル７２に表示されていた表示要素である操作画面２５４を表示することも可能である。
【００７７】
第２パネル７２を横方向に分割するか、縦方向に分割するか、それらの分割比率をどのようにするかはいずれも設計事項に属する。たとえば第２パネル７２に表示される表示要素の縦方向の大きさがある比率以上に異なっている場合には上下に分割し、そうでない場合には左右に分割する、という方法で分割方向を決めてもよい。この場合、比率は双方の縦又は横の寸法により調整できる。
【００７８】
図１２に、この第２の実施の形態の複合機において、第１パネル７０に表示されていた表示要素を第２パネル７２に移動するためのルーチンを示す。この処理は、図６のステップ１７０に相当する処理であり、図７に示すルーチンと置換えることができる。
【００７９】
図１２を参照して、このルーチンは、簡易表示フラグがオンか否かにより制御の流れを分岐させるステップ２７０と、簡易表示フラグがオンのときに実行されるステップ２７２及び２７４と、簡易表示フラグがオフのときに実行されるステップ２７８及び２８０と、ステップ２７４又は２８０の後に実行されるステップ２７６とを含む。
【００８０】
ステップ２７２では、第２パネル７２に表示される表示要素の大きさに応じて、第２パネル７２用の描画領域を上下又は左右に分割する。この分割の際の比率の計算には、第１パネル７０に表示されていた表示要素の簡易表示画面の大きさが使用される。
【００８１】
ステップ２７４では、第１パネル７０の表示要素の描画ルーチンを、その表示要素の簡易表示画面を使用するように設定する。
【００８２】
続いてステップ２７６では第１パネル７０に表示されていた表示要素のための描画ルーチンと、第２パネル７２に表示されていた表示要素のための描画ルーチンとについて、その描画領域の位置に、それぞれステップ２７２で分割された領域を示す値を書込んでこのルーチンから復帰する。
【００８３】
一方、簡易表示がオフの場合には、ステップ２７８では、第２パネル７２に表示される表示要素の大きさに応じて、第２パネル７２用の描画領域を上下又は左右に分割する。この分割の際の比率の計算には、第１パネル７０に表示されていた表示要素の通常表示画面の大きさが使用される。
【００８４】
ステップ２８０では、第１パネル７０の表示要素の描画ルーチンを、その表示要素の通常表示画面を使用するように設定し、前述したステップ２７６に制御を進める。
【００８５】
以上の処理を図６のステップ１７０に代えて行なうことにより、第１パネル７０から第２パネル７２に表示要素がフリックされたときのこの第２の実施の形態の機能を実現できる。
【００８６】
一方、第２パネル７２から第１パネル７０へのフリック操作があったときには、図６のステップ１７４に代えて、第１パネル７０及び第２パネル７２の表示を通常の表示に変える処理が行なわれる。具体的には、図１３に示すような処理を行なう。このルーチンは、第１パネル７０に移動される表示要素の描画ルーチンについて、通常表示画面を用いるように設定するステップ２８２と、第１パネル７０及び第２パネル７２に表示される表示要素の各々について、その描画ルーチンの描画位置及び描画倍率に、それぞれ第１パネル７０及び第２パネル７２に対応した初期値を書込んで親ルーチンに制御を復帰させるステップ２８４とを含む。
【００８７】
この第２の実施の形態では、ユーザが第１パネル７０に表示されている表示要素を第２パネル７２に向けてフリックし、それにより第１パネル７０に表示される要素がなくなるときには（図６のステップ１６６でＹＥＳ）、図１２のステップ２７０が実行される。
【００８８】
簡易表示フラグがオンであれば、ステップ２７２で第２パネル７２をどのように分割するかが第１パネル７０から第２パネル７２に移動させられる表示要素の簡易表示画面の大きさを用いて決定される。ステップ２７４で、第１パネル７０から第２パネル７２に移動させられる表示要素の描画ルーチンが、簡易表示画面を用いるよう設定される。ステップ２７６で、第１パネル７０及び第２パネル７２の表示要素の各々に対し、第２パネル７２用の描画領域のうち、ステップ２７２で決定された比率にしたがった描画領域に画像を書込むように、描画位置及び描画倍率が設定される。その結果、この後に図６のステップ１５８が実行されることにより、それまで第１パネル７０に表示されていたものと第２パネル７２に表示されていたものとが、第２パネル７２を分割した形で第２パネル７２に表示される。
【００８９】
簡易表示フラグがオフの場合も複合機の動作は同様である。簡易表示フラグがオンのときと異なる事項の１番目は、ステップ２０６における第２パネル７２の描画領域の分割の計算に、第１パネル７０から第２パネル７２に移動される表示要素の通常表示画面が用いられる点である。２番目は、ステップ２０８及び２１０において、その表示要素の表示用ルーチンについて、通常表示画面を用いるような設定が行なわれる点である。
【００９０】
以上のようにこの第２の実施の形態によれば、第１省電力モードでは第２パネル７２の表示領域が分割され、それら表示領域に、互いに重ならないように表示要素が表示される。したがって、第２パネル７２に表示されていた表示要素を用いた操作を行なう場合にも支障はない。通常表示を用いた場合には、情報が全て継続して表示されることになるため、ユーザがわざわざ複合機の第１段階省電力モードを解除させる必要はない。
【００９１】
なお、第１及び第２の実施の形態では、いずれも簡易表示フラグを用いて通常画面と簡易表示画面とを切替えている。しかし本発明はそのような実施の形態には限定されず、例えば第１パネル７０から第２パネル７２に表示要素を移動させるときには常に元のままの表示とすることもできるし、簡易表示画面があれば必ず簡易表示画面を用いるようにすることもできる。
【００９２】
また上記実施の形態では、ユーザが第１パネル７０から第２パネル７２に向けてフリック操作をし、フリックされた表示要素を第１パネル７０から第２パネル７２に移動させた後に第１パネル７０に残る表示要素が何も無くなれば、第１パネル７０を省電力モードに遷移させる。逆に第２パネル７２に表示されている表示要素を第１パネル７０にフリックしたとき、第１パネル７０が省電力モードであれば第１パネル７０を通常モードに遷移させている。しかし本発明はそのような実施の形態には限定されない。こうしたフリックによる第１パネル７０のモード遷移をしない実施の形態も考えられる。その場合には、操作がない時間があるしきい値を超えたときのみに第１パネル７０を省電力モードに遷移させ、第１段階省電力モードで何かの操作が検知されたときに第１パネル７０を通常モードに遷移させるような実施の形態も可能である。
【００９３】
さらに、上記実施の形態では、複合機は２つのパネルを持っている。しかし本発明はそのような実施の形態には限定されず、３つ以上のパネルを持つ装置にも同様に適用できる。第１及び第２のパネルについて上記実施の形態で述べた構成を、一般的に第Ｎ番目のパネルと第Ｎ＋１番目のパネルとの間で実現することにより、３個以上のパネルを持つ装置の場合でも同様の機能を実現できる。
【００９４】
さらに、上記実施の形態では、第１段階省電力モードでは第１パネル７０を、第２段階昇電力モードでは第１パネル７０に加えて第２パネル７２を、それぞれ省電力モードに遷移させている。しかし本発明はそのような実施の形態には限定されない。図１に示すような構成を持つ装置において、第１段階省電力モードでは、操作パネル部５４以外の場所に設けられたパネル（例えば第２パネル７２）を省電力モードに遷移させ、第２段階省電力モードでは第２パネル７２に設けられた第１パネル７０を省電力モードに遷移させるような実施の形態も可能である。
【００９５】
上記実施の形態では、第１パネル７０及び第２パネル７２の双方ともタッチパネルである。しかし本発明はそのような実施の形態には限定されない。たとえば、第１パネル７０のみがタッチパネルで、第２パネル７２は通常のモニタであってもよい。
【００９６】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００９７】
４０  複合機
５０  筐体
５２  スキャナ部
５４  操作パネル部
６０  給紙部
６２  画像形成部
７０  第１パネル
７２  第２パネル
１００，１１０，２４２，２４４，２５２，２５４  操作画面
１２２  制御部
１３２  モニタ電源制御部
１３４  記憶部
２４０，２５０  分割位置
【図１】
2013057728.tif 000003
【図２】
2013057728.tif 000004
【図３】
2013057728.tif 000005
【図４】
2013057728.tif 000006
【図５】
2013057728.tif 000007
【図６】
2013057728.tif 000008
【図７】
2013057728.tif 000009
【図８】
2013057728.tif 000010
【図９】
2013057728.tif 000011
【図１０】
2013057728.tif 000012
【図１１】
2013057728.tif 000013
【図１２】
2013057728.tif 000014
【図１３】
2013057728.tif 000015